(57)【特許請求の範囲】
【請求項１】
高速データ伝送のための人体通信システムでの送信器において、
ソース情報をデジタル形態の送信データにコード化するためのソースコード手段と、
受信側において人体チャネル上のエラーを訂正できるように前記コード化された送信データに余剰ビットを挿入するためのチャネルエラー防止手段と、
該チャネルエラー防止手段から出力される送信データを所定の変調方式でシンボル化するためのマッピング手段と、
データ伝送率および制限された周波数の範囲に応じてコード長が決定された拡散コードを用いて、前記シンボル化された送信データを周波数領域上で帯域拡散させるための拡散手段と、
該拡散手段において帯域拡散された送信データに対して人体が導波管特性を維持できる周波数の範囲内に帯域範囲が制限された基底帯域信号を生成した後、前記基底帯域信号をデジタル直交変調するためのパルス成形および変調手段と、
を備えることを特徴とする高速データ伝送のための人体通信システムでの送信器。
【請求項２】
前記チャネルエラー防止手段が、
チャネルエンコードを実行するが、ＨＡＲＱ（Ｈｙｂｒｉｄ  Ａｕｔｏｍａｔｉｃ  Ｒｅｐｅａｔ  Ｒｅｑｕｅｓｔ）機能を選択的に支援するチャネルエンコード手段と、
バーストエラーをランダムエラーに変えることができるように前記チャネルエンコード手段の出力をブロックインターリーブするためのインターリーブ手段と、
を備えることを特徴とする請求項１に記載の高速データ伝送のための人体通信システムでの送信器。
【請求項３】
前記チャネルエラー防止手段の前段に位置し、前記ソースコード手段から出力される送信データにＣＲＣ（Ｃｙｃｌｉｃ  Ｒｅｄｕｎｄａｎｃｙ  Ｃｈｅｃｋ）コードを挿入するためのＣＲＣコード化手段をさらに備えることを特徴とする請求項２に記載の高速データ伝送のための人体通信システムでの送信器。
【請求項４】
高速データ伝送のための人体通信システムでの送信器において、
ソース情報をデジタル形態の送信データにコード化するためのソースコード手段と、
受信側において人体チャネル上のエラーを訂正できるように、前記コード化された送信データに余剰ビットを挿入するためのチャネルエラー防止手段と、
該チャネルエラー防止手段から出力される送信データを所定の変調方式でシンボル化するためのマッピング手段と、
該マッピング手段で直列に出力されるシンボルを並列配列に変換するための直列／並列変換手段と、
該直列／並列変換手段において並列に配列されたそれぞれのシンボルを個別的に拡散した後、前記拡散したシンボルをチップ単位で合算するための拡散手段と、
該拡散手段でチップ単位で合算された拡散シンボルに対して多重搬送波変調（ｍｕｌｔｉ−ｃａｒｒｉｅｒ  ｍｏｄｕｌａｔｉｏｎ）を実行するための多重搬送波変調手段と、
該多重搬送波変調手段において多重搬送波変調がなされた送信データに対して人体が導波管特性を維持できる周波数の範囲内に帯域範囲が制限された基底帯域信号を生成した後、前記基底帯域信号をデジタル直交変調するためのパルス成形および変調手段と、
を備えることを特徴とする高速データ伝送のための人体通信システムでの送信器。
【請求項５】
前記多重搬送波変調手段が、
それぞれの下位搬送波が同じ帯域幅を有するようにし、人体チャネルの固有特性を考慮して所定の一部の搬送波は保護帯域に設定して０（ｚｅｒｏ）搬送波形態で送り、残りの他の搬送波には、データを載せて送ることを特徴とする請求項４に記載の高速データ伝送のための人体通信システムでの送信器。
【請求項６】
前記多重搬送波変調手段において多重搬送波変調がなされた送信データに対してガードインターバルを挿入するためのガードインターバル挿入手段をさらに備えることを特徴とする請求項４に記載の高速データ伝送のための人体通信システムでの送信器。
【請求項７】
前記チャネルエラー防止手段が、
チャネルエンコードを実行するが、ＨＡＲＱ（Ｈｙｂｒｉｄ  Ａｕｔｏｍａｔｉｃ  Ｒｅｐｅａｔ  Ｒｅｑｕｅｓｔ）機能を選択的に支援するチャネルエンコード手段と、
バーストエラーをランダムエラーに変えることができるように前記チャネルエンコード手段の出力をブロックインターリーブするためのインターリーブ手段と、
を備えることを特徴とする請求項４に記載の高速データ伝送のための人体通信システムでの送信器。
【請求項８】
前記チャネルエラー防止手段の前段に位置し、前記ソースコード手段から出力される送信データにＣＲＣ（Ｃｙｃｌｉｃ  Ｒｅｄｕｎｄａｎｃｙ  Ｃｈｅｃｋ）コードを挿入するためのＣＲＣコード化手段をさらに備えることを特徴とする請求項７に記載の高速データ伝送のための人体通信システムでの送信器。
【請求項９】
高速データ伝送のための人体通信システムでの受信器において、
人体チャネルを介して受信した信号から同期検波方式を用いて元来の情報信号を検出し、当該検出された情報信号から送信側でパルス成形された送信信号に整合する信号を抽出するための同期検波および整合フィルタリング手段と、
該同期検波および整合フィルタリング手段から出力されるデータを逆拡散させシンボルデータを復元するための逆拡散手段と、
該逆拡散手段で復元されたシンボルデータをデータビットにデマッピングするためのデマッピング手段と、
該デマッピング手段から出力されるデータビットに対して人体チャネル上のエラーを訂正するためのチャネルエラー訂正手段と、
該チャネルエラー訂正手段でチャネルエラーが訂正されたデジタル形態の受信データをソース情報にデコードするためのソースデコード手段と、
を備えることを特徴とする高速データ伝送のための人体通信システムでの受信器。
【請求項１０】
前記チャネルエラー訂正手段から出力されるデータビットに対してＣＲＣ方式によってフレームエラーを検査するためのＣＲＣ検査手段をさらに備えることを特徴とする請求項９に記載の高速データ伝送のための人体通信システムでの受信器。
【請求項１１】
前記チャネルエラー訂正手段が、
前記デマッピング手段から出力されるデータビットをデインターリーブするためのデインターリーブ手段と、
該デインターリーブ手段から出力されるデータビットに対してチャネルデコードを実行するが、ＨＡＲＱ機能を選択的に支援するチャネルデコード手段と、
を備えることを特徴とする請求項９に記載の高速データ伝送のための人体通信システムでの受信器。
【請求項１２】
高速データ伝送のための人体通信システムでの受信器において、
人体チャネルを介して受信した信号から同期検波方式を用いて元来の情報信号を検出し、当該検出された情報信号から送信側でパルス成形された送信信号に整合する信号を抽出するための同期検波および整合フィルタリング手段と、
該同期検波および整合フィルタリング手段から出力される複数の信号に対して多重搬送波復調を実行するための多重搬送波復調手段と、
サンプル毎に前記多重搬送波復調手段から入力される信号を複写して複数個生成し、当該生成された複数の入力信号を並列的に逆拡散して元来のデータを復元するための逆拡散手段と、
該逆拡散手段から並列に出力される元来のデータを直列に配列するための並列／直列変換手段と、
該直列に配列されたデータをデータビットにデマッピングするためのデマッピング手段と、
該デマッピング手段から出力されるデータビットに対して人体チャネル上で発生するエラーを訂正するためのチャネルエラー訂正手段と、
該チャネルエラー訂正手段でエラーが訂正されたデジタル受信データをソース情報にデコードするためのソースデコード手段と、
を備えることを特徴とする高速データ伝送のための人体通信システムでの受信器。
【請求項１３】
前記同期検波および整合フィルタリング手段から出力される信号からガードインターバルを除去するためのガードインターバル除去手段をさらに備えることを特徴とする請求項１２に記載の高速データ伝送のための人体通信システムでの受信器。
【請求項１４】
サンプル毎に前記多重搬送波復調手段から入力される信号を複写して複数個生成して同時に出力するための複写手段と、
該複写手段から入力されるそれぞれの信号に対して互いに直交するコードシーケンスを乗じて元来のデータを復元するための複数の逆拡散手段と、
をさらに備えることを特徴とする請求項１２に記載の高速データ伝送のための人体通信システムでの受信器。
【請求項１５】
前記逆拡散手段の前段に位置し、前記多重搬送波復調手段で多重搬送波復調がなされて出力される信号を等化するための等化手段をさらに備えることを特徴とする請求項１２に記載の高速データ伝送のための人体通信システムでの受信器。
【請求項１６】
前記チャネルエラー訂正手段から出力されるデータビットに対してＣＲＣ方式によってフレームエラーを検査するためのＣＲＣ検査手段をさらに備えることを特徴とする請求項１２に記載の高速データ伝送のための人体通信システムでの受信器。
【請求項１７】
前記チャネルエラー訂正手段が、
前記デマッピング手段から出力されるデータビットをデインターリーブするためのデインターリーブ手段と、
該デインターリーブ手段から出力されるデータビットに対してチャネルデコードを実行するが、ＨＡＲＱ機能を選択的に支援するチャネルデコード手段と、
を備えることを特徴とする請求項１２に記載の高速データ伝送のための人体通信システムでの受信器。
【発明の詳細な説明】
【技術分野】
【０００１】
本発明は、高速データ伝送のための人体通信システムに関し、より詳細には、人体を介して伝送される信号の周波数帯域を人体が導波管特性を維持することができる周波数の範囲（例えば、３０ＭＨｚないし４０ＭＨｚ）内に制限し、かつ高速のデータ伝送を可能にし、また他のユーザや他の電子機器による干渉を最小化して安定した人体通信を可能にする、高速データ伝送のための人体通信システムに関する。
【背景技術】
【０００２】
「人体通信」とは、伝導性を有する人体を通信チャネルとして利用し、人体の一部に付着されている送信器の電極に情報を送り、人体内の他の部分に付着されている、または人体の外部にある受信器の電極に接触して送信された情報を復元する技術のことを指すものであって、個人携帯情報端末機（ＰＤＡ：Ｐｅｒｓｏｎａｌ  Ｄｉｇｉｔａｌ  Ａｓｓｉｓｔａｎｔ）、携帯用パソコン（ｐｏｒｔａｂｌｅ  ｐｅｒｓｏｎａｌ  ｃｏｍｐｕｔｅｒ）、デジタルカメラ（Ｄｉｇｉｔａｌ  Ｃａｍｅｒａ）、ＭＰ３プレーヤ（ＭＰ３  ｐｌａｙｅｒ）、携帯電話などの多様な携帯機器間の通信や、または印刷（プリンタとの通信）、クレジットカードの決済、テレビ受信、エントランス（エントランスシステムとの通信）、バス、および地下鉄搭乗時の運賃の決済などを目的とする「固定機器との通信」が、ユーザの簡単な接触だけで実行するようにする技術である。
【０００３】
このような人体というチャネルは、信号の伝播において良い特性をみせる等方性チャネル（空気、導波管、物など）に該当する一般的な通信チャネルの場合とは異なり、異方性の特性をみせ、同時に、多くの損失と、周囲から人体に誘起される多くの干渉信号が存在するという特性を示す。また、人体は、非常に多様な物質と形態とで構成されており、また、高い誘電率などのような特性を有しているため、低い周波数では導波管の特性をみせるが、高い周波数領域ではアンテナのような役割をする。
【０００４】
従来の人体通信技術として「光電効果を用いた技術」があるが、これは、デジタル信号（ＮＲＺ：Ｎｏｎ  Ｒｅｔｕｒｎｔｏ  Ｚｅｒｏ）を直接人体に印加し、これを光電効果を用いて受信する技術であって、伝送速度を画期的に改善して１０Ｍｂｐｓの通信を可能にした。このような高速のデータ伝送は、これまで制限的だった応用分野を拡大させることによって、生活の周辺にまで幅広く適用できるようにする幕を開いた。
【０００５】
このような通信速度の改善にもかかわらず、従来の光電効果を用いた技術は、モジュールの大きさ、消費電力、他の照明による干渉などの技術的な問題により、小型の携帯機器への適用には困難がある。
【０００６】
このような問題を解決する方法として「電気的復元方式を用いた技術」が紹介された。これは、Ｏｎ‐Ｏｆｆ‐Ｋｅｙｉｎｇの方式を用いて比較的低い周波数帯域（１ＭＨｚ近傍の帯域）を用いることによって、エネルギーが人体の外部に放出されることを減少させることができる方式である。また、同じ帯域を用いて情報を伝送している隣接したユーザ間の干渉を最小化し、現在のユーザの情報を他のユーザが受信しないようにするＤＳＳＳ（Ｄｉｒｅｃｔ  Ｓｅｑｕｅｎｃｅ  Ｓｐｒｅａｄ  Ｓｐｅｃｔｒｕｍ）方式を適用した技術もある。
【０００７】
ところが、１ＭＨｚ帯域内でＤＳＳＳを用いて希望の性能を発揮させるためには、実際に伝送できるデータが、略１００Ｋｂｐｓ以下にならなければならない。また、現在のユーザの情報を他のユーザが受信しないように、各ユーザに互いに異なるＰＮコードシーケンス（ＰＮ  ｃｏｄｅ  ｓｅｑｕｅｎｃｅ）を与えると、実際に伝送できるデータ率が大幅に減るため、音声サービス（音声信号を伝達するサービス）の他に、より高いデータ率を要求するサービスへの使用には適さない。
【０００８】
また、数Ｍｂｐｓ以上のデジタル信号をＤＳＳＳ方式を用いて伝送するためには、数十ないし数百ＭＨｚ以上の範囲の帯域幅が必要で、かつ、このような信号が人体に印加されると、特定の周波数以上の信号が放射されることによって、様々なユーザがいる場合、接触せずとも、他のユーザに干渉をもたらし、安定した通信を難しくする問題がある。このような場合、特定の周波数以上の信号が放射されることを防ぐためにはＰＮシーケンスの長さを限定しなければならないが、こうした場合、プロセス利得（ＰＧ：Ｐｒｏｃｅｓｓｉｎｇ  Ｇａｉｎ）を制限するようになることによって、ＤＳＳＳ方式だけで使用しているサービスに合った性能を獲得できない問題が発生し得る。
【０００９】
また、ＤＳＳＳ方式だけを信号の復調に単独で用いた場合、他のユーザによる干渉の他、ユーザの周囲で使われている各種電子機器およびジャマー（Ｊａｍｍｅｒ）による妨害信号によって特定の部分の信号情報を全て失い得る。たとえ、拡散帯域シンボル内の一部のチップ（ｃｈｉｐ）でエラーが発生したとしても、これは、プロセス利得を２次（ｏｒｄｅｒ  ２）に縮める結果をもたらす。これは、人体通信が、単に音声信号を伝達するサービスの他に、より高いデータ率を要求するサービス（例えば、動／静止画像の伝送、高音質音楽の伝送など）を要求するときは帯域拡散だけを用いて希望の性能（ＢＥＲ：１０-5ないし１０-6の範囲）が得られないことを意味する。
【００１０】
したがって、こういう場合、希望の性能を得るために、人体に入ってくる干渉信号より高いレベルの利得を得ることができる方式が必要である。
【発明の概要】
【発明が解決しようとする課題】
【００１１】
本発明は、前記問題点を解決するために提案されたものであって、その目的は、人体を介して伝送される信号の周波数帯域を人体が導波管特性を維持することができる周波数の範囲（例えば、３０ないし４０ＭＨｚ）内に制限し、かつ高速のデータ伝送を可能にし、また他のユーザや他の電子機器による干渉を最小化して安定した人体通信を可能にする、高速データ伝送のための人体通信システムを提供することにある。
【００１２】
また、本発明の他の目的および長所は、下記の説明によって知ることができ、本発明の実施形態によってより明らかに理解できるであろう。また、本発明の目的および長所は、特許請求の範囲に示す手段およびその組合せにより実現できることが容易に分かるであろう。
【課題を解決するための手段】
【００１３】
前記目的を達成するための本発明は、高速データ伝送のための人体通信システムでの送信器において、ソース情報をデジタル形態の送信データにコード化するためのソースコード手段と、受信側において人体チャネル上のエラーを訂正できるように前記コード化された送信データに余剰ビットを挿入するためのチャネルエラー防止手段と、該チャネルエラー防止手段から出力される送信データを所定の変調方式でシンボル化するためのマッピング手段と、データ伝送率および制限された周波数の範囲に応じてコード長が決定された拡散コードを用いて、前記シンボル化された送信データを周波数領域上で帯域拡散させるための拡散手段と、該拡散手段において帯域拡散された送信データに対して人体が導波管特性を維持できる周波数の範囲内に帯域範囲が制限された基底帯域信号を生成した後、前記基底帯域信号をデジタル直交変調するためのパルス成形および変調手段と、を備える。
【００１４】
一方、高速データ伝送のための人体通信システムでの送信器において、ソース情報をデジタル形態の送信データにコード化するためのソースコード手段と、受信側において人体チャネル上のエラーを訂正できるように、前記コード化された送信データに余剰ビットを挿入するためのチャネルエラー防止手段と、該チャネルエラー防止手段から出力される送信データを所定の変調方式でシンボル化するためのマッピング手段と、該マッピング手段で直列に出力されるシンボルを並列配列に変換するための直列／並列変換手段と、該直列／並列変換手段において並列に配列されたそれぞれのシンボルを個別的に拡散した後、前記拡散したシンボルをチップ単位で合算するための拡散手段と、該拡散手段でチップ単位で合算された拡散シンボルに対して多重搬送波変調（ｍｕｌｔｉ−ｃａｒｒｉｅｒ  ｍｏｄｕｌａｔｉｏｎ）を実行するための多重搬送波変調手段と、該多重搬送波変調手段において多重搬送波変調がなされた送信データに対して人体が導波管特性を維持できる周波数の範囲内に帯域範囲が制限された基底帯域信号を生成した後、前記基底帯域信号をデジタル直交変調するためのパルス成形および変調手段と、を備える。
【００１５】
一方、高速データ伝送のための人体通信システムでの受信器において、人体チャネルを介して受信した信号から同期検波方式を用いて元来の情報信号を検出し、当該検出された情報信号から送信側でパルス成形された送信信号に整合する信号を抽出するための同期検波および整合フィルタリング手段と、該同期検波および整合フィルタリング手段から出力されるデータを逆拡散させシンボルデータを復元するための逆拡散手段と、該逆拡散手段で復元されたシンボルデータをデータビットにデマッピングするためのデマッピング手段と、該デマッピング手段から出力されるデータビットに対して人体チャネル上のエラーを訂正するためのチャネルエラー訂正手段と、該チャネルエラー訂正手段でチャネルエラーが訂正されたデジタル形態の受信データをソース情報にデコードするためのソースデコード手段と、を備える。
【００１６】
一方、高速データ伝送のための人体通信システムでの受信器において、人体チャネルを介して受信した信号から同期検波方式を用いて元来の情報信号を検出し、当該検出された情報信号から送信側でパルス成形された送信信号に整合する信号を抽出するための同期検波および整合フィルタリング手段と、該同期検波および整合フィルタリング手段から出力される複数の信号に対して多重搬送波復調を実行するための多重搬送波復調手段と、サンプル毎に前記多重搬送波復調手段から入力される信号を複写して複数個生成し、当該生成された複数の入力信号を並列的に逆拡散して元来のデータを復元するための逆拡散手段と、該逆拡散手段から並列に出力される元来のデータを直列に配列するための並列／直列変換手段と、該直列に配列されたデータをデータビットにデマッピングするためのデマッピング手段と、該デマッピング手段から出力されるデータビットに対して人体チャネル上で発生するエラーを訂正するためのチャネルエラー訂正手段と、該チャネルエラー訂正手段でエラーが訂正されたデジタル受信データをソース情報にデコードするためのソースデコード手段と、を備える。
【００１７】
本発明は、人体を媒質にして情報を送る方式に関するものであって、人体というものは損失の大きい媒質で、多量のデータを送受信するにあたって十分な利得を有するようにする技術に関するものである。
【００１８】
隣接している多数のユーザが、互いの干渉なく、安定した人体通信ができるようにするためには、人体を介して伝送される信号の占有周波数が、人体が、ある程度導波管の特性を維持できる周波数でなければならない。すなわち、人体通信に用いられる周波数の範囲が、隣接している人に影響を与え得る周波数以下に制限されなければならない。
【００１９】
人体をチャネルとして用いる人体通信システムでは、利用可能な周波数が制限されるため、デジタル信号を直接伝送する方式で人体通信システムを具現するならば、通信速度において相当な制約が伴う。現在、このような方式で具現した人体通信システムにおいて最高の通信速度は１０Ｍｂｐｓであるが、この信号は、多くの高周波信号を含んでおり、占有周波数帯域を考慮するとき、最小数十ＭＨｚの信号が人体に印加され、こうした高周波成分は、人体に限定されずに放射され、近接した他のユーザに干渉をもたらすようになる。
【００２０】
また、周波数帯域を制限することによって、隣接している他者からの影響を最小化したとしても、周辺で用いられる各種電子機器や、他の予想できないジャマーからの干渉は、あたかもバーストノイズ（ｂｕｒｓｔ  ｎｏｉｓｅ）のように作用して、一定期間の信号を深刻に干渉させ得る。すなわち、このような状況では、安定した人体通信の具現が困難になる。
【００２１】
したがって、本発明は、このような問題を解決するために、制限された周波数を用いて多様な電子機器から人体に誘起される電磁的干渉のある環境において、安定した通信を具現するための通信方法を提供する。また制限された周波数領域で周波数の利用効率を上げることができる方法も提示する。
【００２２】
要するに、本発明は、人体を通信チャネルとして用いて人体と連結した通信装置間にデータを送受信するにあたり、人体チャネルの特性を利用してユーザ相互間の干渉を減らすのみならず、他の電子機器から誘起される強い干渉があるときも、安定した人体通信を可能にするものである。また本発明は、制限された周波数の範囲において、データの伝送速度を高めるための通信方式や、これを用いた多重接続方法を提供するものである。
【００２３】
本発明では、人体を介して伝送する信号の占有周波数を、人体がある程度の導波管特徴を維持できる周波数以下に制限するが、このように利用可能な周波数バンドが限定された状態でも可能なあらゆる干渉環境から受信しようとする信号を検出するために、人体通信システムの送受信器は十分な利得を発生できるようにする手段を備える。また本発明では、送受信器で十分な利得を維持し、かつ高速のデータ伝送を可能にする多重化方式も適用する。
【発明の効果】
【００２４】
前記のような本発明は、人体チャネルの特性を考慮して人体を介して伝送される信号を一定の範囲内（例えば、３０ないし４０ＭＨｚ）に制限することによって、人体が、導波管の特性を維持できるようにして信号の放射を防止し、かつ強い干渉環境においても希望する性能でサービスを提供できるようにし、また十分な利得を保障し、かつ多重化を介した高速通信を可能にする効果がある。
【００２５】
すなわち、本発明は、人体に印加できる信号の周波数帯域を制限することによって、隣接したユーザ間の相互干渉を減らすことができ、その制限された周波数帯域内でも最大の利得を得ることができるようにし、かつデータの伝送速度を高めることができるようにする効果がある。
【００２６】
また、本発明は、多数のユーザがいる環境において人体通信がなされる場合、ユーザ相互間の干渉を減らすことができるだけでなく、他の電子機器から誘起される強い干渉があるときも、安定した人体通信を可能にする効果がある。
【図面の簡単な説明】
【００２７】
【図１】本発明に係る高速データ伝送のための人体通信システムの第１実施形態の構成図である。
【図２】本発明に係る高速データ伝送のための人体通信システムの第２実施形態の構成図である。
【図３】本発明に係る図２の拡散バンクの一実施形態の構成図である。
【図４】本発明に係る図２の逆拡散バンクの一実施形態の構成図である。
【図５】コンボリューションエンコーダおよびビタビデコーダの使用可否に係る性能比較図である。
【発明を実施するための形態】
【００２８】
上述した目的、特徴および長所は、添付の図面と関連した次の詳細な説明によってさらに明確になるはずであり、それに伴い本発明の属する技術分野において通常の知識を有する者が本発明の技術的思想を容易に実施できるであろう。また、本発明を説明するにあたり、本発明と関連した公知となった技術に対する具体的な説明が、本発明の要旨を不要に濁し得ると判断される場合、その詳細な説明を省略することとする。以下、添付の図面を参照し、本発明に係る望ましい一実施形態を詳細に説明する。
【００２９】
図１は、本発明に係る高速データ伝送のための人体通信システムの第１実施形態の構成図であって、人体を通信チャネルとして使用した場合、十分な利得を得るための送受信器の構造を示す。
【００３０】
送信器１０は、ソースエンコーダ１００と、ＣＲＣエンコーダ（コード化器）１０１と、ＨＡＲＱ（Ｈｙｂｒｉｄ  ＡＲＱ）機能を選択的に支援するチャネルエンコーダ１０２と、インターリーバ１０３と、マッパー１０４と、拡散器（Ｓｐｒｅａｄｅｒ）１０５と、パルス成形およびＩＱ変調器１０６とを備えてなる。
【００３１】
一方、受信器１２は、同期検波器および整合フィルタ（ｃｏｈｅｒｅｎｔ  ｄｅｔｅｃｔｏｒ  ＆  ｍａｔｃｈｅｄ  ｆｉｌｔｅｒ）１２１と、逆拡散器（ｄｅｓｐｒｅａｄｅｒ）１２２と、デマッパー１２３と、デインターリーバ１２４と、ＨＡＲＱ機能を選択的に支援するチャネルデコーダ１２５と、ＣＲＣ検査器（ｃｈｅｃｋｅｒ）１２６と、ソースデコーダ１２７とを備えてなる。
【００３２】
まず、高速データ伝送のための人体通信システムにおける「送信器１０」について詳細に説明する。
【００３３】
ソースエンコーダ１００が、ソース情報をデジタル形態の送信データにコード化すると、ＣＲＣエンコーダ１０１は、受信側におけるエラーの訂正のためにＣＲＣ（Ｃｙｃｌｉｃ  Ｒｅｄｕｎｄａｎｃｙ  Ｃｈｅｃｋ）コードを挿入するようになる。ここで、ＣＲＣエンコーダ１０１は、必ずしも備えられるべきものではない。
【００３４】
チャネルエンコーダ１０２は、ＣＲＣエンコーダ１０１の出力に対してチャネルエンコードを実行するが、ＨＡＲＱ（Ｈｙｂｒｉｄ  Ａｕｔｏｍａｔｉｃ  Ｒｅｐｅａｔ  Ｒｅｑｕｅｓｔ）機能を選択的に支援し、インターリーバ１０３は、バーストエラーをランダムエラーに変えることができるようにブロックインターリーブを実行する。ここで、チャネルエンコーダ１０２およびインターリーバ１０３を含んで「チャネルエラー防止部」と呼ぶことができ、これは、受信側で人体チャネル上のエラーを訂正できるように、ＣＲＣエンコーダ１０１でコード化された送信データに余剰ビットを挿入する。
【００３５】
マッパー１０４は、コンステレーションマッパー（ｃｏｎｓｔｅｌｌａｔｉｏｎ  ｍａｐｐｅｒ）であって、チャネルエラー防止部１０２、１０３から出力される送信データを所定の変調方式（例えば、ＱＰＳＫなど）でシンボル化し、拡散器１０５は、データ伝送率および制限された周波数の範囲に応じてコード長が決定された拡散コードを利用して、シンボル化された送信データを周波数領域上で帯域拡散させる。
【００３６】
パルス成形およびＩＱ変調器１０６は、拡散器１０５から出力される送信データに対して「人体が導波管特性を維持できる周波数の範囲」内に帯域範囲が制限された基底帯域信号を生成した後、その基底帯域信号をデジタル直交変調する。
【００３７】
本発明では、人体を介して送る信号の占有周波数を、人体がある程度の導波管特徴を維持することができる周波数以下に制限する。
【００３８】
次に、高速データ伝送のための人体通信システムにおける「受信器１２」について詳細に説明する。
【００３９】
同期検波器および整合フィルタ（ｃｏｈｅｒｅｎｔ  ｄｅｔｅｃｔｏｒ  ＆ｍａｔｃｈｅｄ  ｆｉｌｔｅｒ）１２１は、人体チャネル１１を介して受信した信号から同期検波方式を用いて元来の情報信号を検出し、その検出された情報信号から送信側でパルス成形された送信信号に整合する信号を抽出する。
【００４０】
逆拡散器（ｄｅｓｐｒｅａｄｅｒ）１２２は、同期検波器および整合フィルタ１２１から出力されるデータを逆拡散させてシンボルデータを復元し、デマッパー１２３は、逆拡散器１２２で復元されたシンボルデータをデータビットにデマッピングする。
【００４１】
以後、デインターリーバ１２４は、デマッパー１２３から出力されるデータビットに対してデインターリーブを実行し、チャネルデコーダ１２５は、ＨＡＲＱ機能を選択的に支援する役割をする。ここで、デインターリーバ１２４およびチャネルデコーダ１２５の両者は、デマッパー１２３から出力されるデータビットに対して人体チャネル上のエラーを訂正するためのものであって、これらを合わせて「チャネルデコード部」と呼ぶことができる。
【００４２】
また、本発明はＣＲＣ検査器（ｃｈｅｃｋｅｒ）１２６を備えてフレームエラーを検査することもできるが、このようなＣＲＣ検査器（ｃｈｅｃｋｅｒ）１２６は、送信器２０でＣＲＣエンコーダ２０１を備えた場合に対応して受信器で備えられるものである。
【００４３】
最後に、ソースデコーダ１２７は、チャネルエラーなどが訂正されたデジタル形態の受信データを該当するソース情報にデコードする。
【００４４】
以下では、前記のような本発明の人体通信システムにおける主な技術的特徴を重点的に詳細に説明する。
【００４５】
本発明では、同期検波器（ｃｏｈｅｒｅｎｔ  ｄｅｔｅｃｔｏｒ）１２１を使用するが、これは信号の大きさ成分と位相成分とを同時に用いて同期検波を実行することによって信号の大きさだけを用いる方式に比べ、３ｄＢのパワー利得を得ることができるためである。
【００４６】
また、整合フィルタ（ｍａｔｃｈｅｄ  ｆｉｌｔｅｒ）１２１は、送信器１０のパルス成形およびＩＱ変調器１０６でパルス成形（ｐｕｌｓｅ  ｓｈａｐｉｎｇ）された送信信号に整合する信号を抽出する役割をする。このような整合フィルタ１２１によって得られる利得の定量的な分析はできないが、雑音成分と干渉成分とを同時に減らして最適の性能を保障する。
【００４７】
一方、本発明で良い利得を得るために用いる他の方法には、特性の良いランダムシーケンスを用いて帯域拡散をさせる方法がある。すなわち、送信器１０（より正確には拡散器１０５）を介してデータビット情報に直交コードないしはＰＮシーケンスを乗じて周波数ドメイン上で帯域を拡散させて伝送すると、以後、受信器１２（より正確には逆拡散器１２２）では受信信号に対して同じ直交コードないしはＰＮシーケンスを乗じることによって、その直交コードないしはＰＮシーケンスの長さだけの利得を得ることができる。
【００４８】
しかし、用いる直交コードないしはＰＮシーケンスの長さに比例して信号を送るバンドの広さが広くなるため、人体を介して伝送される信号が人体の外に放射される結果をもたらし、結局、隣接したユーザに対する干渉として作用するようになる。したがって、用いるランダムコードの長さは、伝送しようとするデータ率（ｄａｔａ  ｒａｔｅ）と制限された周波数の範囲とを考慮して選定しなければならず、帯域拡散だけで希望の高速データ率で希望の性能を達成するには困難が生じる。
【００４９】
また、バースト雑音によるエラーが発生することによって、受信した帯域拡散シンボル内の１つのチップにエラーが発生すると、プロセス利得を２ｄＢだけ損失し、２つのチップでエラーが発生すると、プロセス利得を４ｄＢだけ損失する。すなわち、受信した帯域拡散コード中のエラーチップ数をｎとすれば、復調された信号が得ることができるプロセス利得はＰＧ−２ｎｄＢとなる。この場合、限定された帯域範囲に適した帯域拡散コードを用いる帯域拡散システムだけでは希望の性能を保障することは難しい。
【００５０】
これを解決するためには、インターリーバ１０３がブロックインターリーブを介してバーストエラー（ｂｕｒｓｔ  ｅｒｒｏｒ）を様々な拡散帯域シンボルに分散させることが必要である（バーストエラーをランダムエラーに変える必要がある）。また、送信器１０では、エラー訂正コードを用いるためにチャネルエンコーダ１０２が必要で、受信器１２では受信データを逆拡散させた後、エラーを定めるチャネルデコーダ１２５が必要である。ここで、エラー訂正コード（ｅｒｒｏｒ  ｃｏｒｒｅｃｔｉｏｎ  ｃｏｄｅ）とは、チャネル上で発生するエラーを訂正するため、元来の情報に適当量の余分な情報（ｒｅｄｕｎｄａｎｃｙ）として追加されるものであって、このようにエラー訂正コードを挿入して伝送することによって、受信側ではチャネル上で発生するエラーを訂正できるようになる。
【００５１】
エラー訂正コードは、コード化方式の側面からみるとき、ブロックコード（ｂｌｏｃｋ  ｃｏｄｅ）とトレリスコード（ｔｒｅｌｌｉｓ  ｃｏｄｅ）とに大別することができる。
【００５２】
ブロックコードは、バーストエラー（ｂｕｒｓｔ  ｅｒｒｏｒ）に強い特性があって、その代表的な例としては、Ｈａｍｍｉｎｇコード、Ｇｏｌａｙコード、ＢＣＨコード、Ｒｅｅｄ−Ｍｕｌｌｅｒコード、Ｒｅｅｄ−Ｓｏｌｏｍｏｎコードなどがある。一般的に、（１５、１１）ＨａｍｍｉｎｇコードはＡＷＧＮでＢＰＳＫ変調されて１０-6ＢＥＲで約１．４ｄＢの利得を有し、（２４、１２）Ｅｘｔｅｎｄｅｄ  Ｇｏｌａｙコードは２．４ｄＢ、（１２７、６４）ＢＣＨコードは約３．３ｄＢ、また、ＧＦ（２５６）でのＲＳコードは３．５ｄＢまでのコード化利得を得ることができるものとして知られている。
【００５３】
一方、トレリスコードの代表的な例としては、畳込みコード（ｃｏｎｖｏｌｕｔｉｏｎ  ｃｏｄｅ）があるが、これについてはビタビアルゴリズム（ｖｉｔｅｒｂｉ  aｌｇｏｒｉｔｈｍ）を用いてデコードを実行し、ランダムエラー（ｒａｎｄｏｍ  ｅｒｒｏｒ）に強い特性を有している。この場合、軟判定（ｓｏｆｔ−ｄｅｃｉｓｉｏｎ）を適用すると、約５ｄＢのコード化利得を得ることができる。
【００５４】
一方、ブロックコードとトレリスコードとを連接して使用する連接コード（ｃｏｎｃａｔｅｎａｔｉｏｎ  ｃｏｄｅ）があるが、この連接コードは、バーストエラーおよびランダムエラーに強い特性を有し、性能を極大化させることができる。ＲＳコードおよび畳込みコードを連接した形態、ならびにＲＳコードおよびターボコードを連接した形態を多く用いる。連接コードは、一般的に約７．３ｄＢのコード化利得を得るものとして知られている。
【００５５】
そして、エラー訂正コードは、デコード方式の側面からみるとき、これには反復デコード（ｉｔｅｒａｔｉｖｅ  ｄｅｃｏｄｉｎｇ）方式を用いる畳み込みターボコード（ｃｏｎｖｏｌｕｔｉｏｎａｌ  ｔｕｒｂｏ  ｃｏｄｅ）、ブロックターボコード（ｂｌｏｃｋ  ｔｕｒｂｏ  ｃｏｄｅ）、およびＬＤＰＣ（Ｌｏｗ−Ｄｅｎｓｉｔｙ  Ｐａｒｉｔｙ  Ｃｈｅｃｋ  Ｃｏｄｅ）コードなどがある。畳み込みターボコードは、１０-5ＢＥＲでほとんど５ないし８ｄＢ以上のコード化利得を、ＬＤＰＣコードは、一般的に約５．８ないし９ｄＢのコード化利得を得るものとして知られている。
【００５６】
送信側において、上記のようなエラー訂正コードという剰余情報を付け加えると、送信に必要な帯域幅が増加するようになる。このような短所を克服するために考案された方式がＴＣＭ（Ｔｒｅｌｌｉｓ−Ｃｏｄｅｄ  Ｍｏｄｕｌａｔｉｏｎ）である。ＴＣＭは、コード化方式と変調方式とが結びついた形態であって、帯域幅の増加なく、コード化で得ることができる利得を得ることができるという長所がある。このようなＴＣＭ方式は、単独で用いられるときには約３．８ｄＢ、ＲＳコードと連接して用いられるときには最大５．５ｄＢまでのコード化利得を得ることができるものとして知られている。
【００５７】
また、リアルタイム（ｒｅａｌ−ｔｉｍｅ）な処理が必須でないサービス（例えば、印刷、端末間の情報交換、クレジットカード決済、出入システム、バスおよび地下鉄搭乗時の運賃決済）などに用いる人体通信システムでは、利得を高めるためにＨＡＲＱ技術を用いることができるが、このようにすることによって、人体チャネルの動作ＳＩＮＲ（Ｓｉｇｎａｌ  ｔｏ  Ｉｎｔｅｒｆｅｒｅｎｃｅ  pｌｕｓ  Ｎｏｉｓｅ  Ｒａｔｉｏ）を下げて、追加的な利得を得ることができる。ここで、ＨＡＲＱ技法は、ＡＲＱ（Ａｕｔｏｍａｔｉｃ  Ｒｅｐｅａｔ  Ｒｅｑｕｅｓｔ）技法（受信側が送信側に損傷したデータを再送信することを要求するエラー統制プロトコル）を物理階層のチャネルコーディングと結合する方式である。また、ＨＡＲＱ技法ではＡＲＱのように再伝送だけを適用するのではなく、Ｃｈａｓｅ  ＣｏｍｂｉｎｉｎｇまたはＩｎｃｒｅｍｅｎｔａｌ  Ｒｅｄｕｎｄａｎｃｙ（ＩＲ）などのような方式を適用して既存の受信データと再伝送された受信データとを効率的に組合せることによってデコード性能を高める。
【００５８】
図２は、本発明に係る高速データ伝送のための人体通信システムの第２実施形態の構成図であって、図１に示すような人体通信システムにおけるスペクトル効率を上げるために、多重化方式を用いる実施形態を示す。
【００５９】
送信器２０は、ソースエンコーダ２００と、ＣＲＣエンコーダ（コード化器）２０１と、ＨＡＲＱ（Ｈｙｂｒｉｄ  ＡＲＱ）機能を選択的に支援するチャネルエンコーダ２０２と、インターリーバ２０３と、マッパー２０４と、直列／並列変換器２０５と、拡散バンク（Ｓｐｒｅａｄ  Ｂａｎｋ）２０６と、多重搬送波変調器２０７と、ガードインターバル挿入器２０８と、パルス成形およびＩＱ変調器２０９とを備えてなる。
【００６０】
一方、受信器２２は、同期検波器および整合フィルタ（ｃｏｈｅｒｅｎｔ  ｄｅｔｅｃｔｏｒ  ＆  ｍａｔｃｈｅｄ  ｆｉｌｔｅｒ）２２１と、ガードインターバル除去器２２２と、多重搬送波復調および等化器２２３と、逆拡散バンク（ｄｅｓｐｒｅａｄ  ｂａｎｋ）２２４と、並列／直列変換器２２５と、デマッパー２２６と、デインターリーバ２２７と、ＨＡＲＱ機能を選択的に支援するチャネルデコーダ２２８と、ＣＲＣ検査器（ｃｈｅｃｋｅｒ）２２９と、ソースデコーダ２３０とを備えてなる。
【００６１】
まず、高速データ伝送のための人体通信システムにおける送信器２０について詳細に説明する。
【００６２】
ソースエンコーダ２００が、ソース情報をデジタル形態の送信データにコード化すると、ＣＲＣエンコーダ２０１は、受信側におけるエラー訂正のためにＣＲＣを挿入する。ここで、ＣＲＣエンコーダ２０１は、必ずしも備えられるべきものではない。
【００６３】
チャネルエンコーダ２０２は、ＣＲＣエンコーダ２０１の出力に対してチャネルエンコードを実行するが、ＨＡＲＱ（Ｈｙｂｒｉｄ  Ａｕｔｏｍａｔｉｃ  Ｒｅｐｅａｔ  Ｒｅｑｕｅｓｔ）機能を選択的に支援して、インターリーバ２０３は、バーストエラーをランダムエラーに変えることができるようにブロックインターリーブを実行する。ここで、チャネルエンコーダ２０２およびインターリーバ２０３を含んで「チャネルエラー訂正部」と呼ぶことができ、これは、受信側で人体チャネル上のエラーを訂正できるように、ＣＲＣエンコーダ２０１でコード化された送信データに余剰ビットを挿入する。
【００６４】
マッパー２０４は、コンステレーションマッパー（ｃｏｎｓｔｅｌｌａｔｉｏｎ  ｍａｐｐｅｒ）であって、チャネルコード化部２０２、２０３でチャネルコード化された送信データを所定の変調方式でシンボル化し、直列／並列変換器２０５は、マッパー２０４から直列に出力されるシンボルを並列配列に変換する。
【００６５】
それにより、拡散バンク２０６は、直列／並列変換器２０５で並列に配列された各シンボルを個別に帯域拡散した後、その帯域の広がったシンボルをチップ（ｃｈｉｐ）単位で合算する（図３参照）。すなわち、拡散バンク２０６は、マッパー２０４でマッピングした後、並列に配列されたｋ個の各シンボルに対し、互いに直交するコードシーケンス（例えば、Ｗａｌｓｈ−Ｈａｒｄａｍａｒｄコード）を乗じて帯域拡散をさせた後、広がったシンボルをチップ毎に合算する。
【００６６】
多重搬送波変調器２０７は、拡散バンク２０６の出力を直交周波数毎に多重化、すなわち拡散バンク２０６においてチップ単位で合算された拡散シンボルに対して多重搬送波変調（ｍｕｌｔｉ−ｃａｒｒｉｅｒ  ｍｏｄｕｌａｔｉｏｎ）を実行するものである。すなわち、多重搬送波変調器２０７は、各下位搬送波が同じ帯域幅を有するようにし、人体チャネルの固有特性を考慮して、所定の一部の搬送波は保護帯域に設定して０（ｚｅｒｏ）の搬送波を送り、残りの他の搬送波にはデータを載せて送る。このような多重搬送波変調方式において、多くの下位搬送波は、他の下位搬送波と直交性を有するため、互いに影響を与えない。
【００６７】
ガードインターバル挿入器２０８は、多重搬送波変調器２０７で多重搬送波変調がなされた送信データに対してガードインターバル（ｇｕａｒｄ  ｉｎｔｅｒｖａｌ）を挿入する。
【００６８】
実際に、人体通信は、人体を導波管とする近接場（ｎｅａｒ  ｆｉｅｌｄ）通信であるがゆえに、多重経路（ｍｕｌｔｉｐａｔｈ）は存在しないものとして仮定することができ、非常に短い電力（ｐｏｗｅｒ）の広まる現象だけが存在しているといえる。このような観点から、ガードインターバル（ｇｕａｒｄ  ｉｎｔｅｒｖａｌ）を挿入するブロック２０８は、人体通信において意味がないこともあり得る。
【００６９】
しかし、予測できない状況により電力（ｐｏｗｅｒ）の広まる現象が長くなり得るが、こういう場合に備えてガードインターバルを用いることは効果的である。
【００７０】
この他にも、ガードインターバル挿入器２０８は、実際のシステム動作において、初期の受信器で同期の位置を正確に捉えた後、実際のデータシンボルの開始位置を検索するまでのプロセス遅延時間を確保するために用いることもでき、または、受信器で一度に受信するべき直交周波数多重化データシンボルの数が多い場合、受信の中間でトラッキング（ｔｒａｃｋｉｎｇ）機能を実行してシンボルオフセット（ｏｆｆｓｅｔ）を修正できるようにするために用い得る。また、ガードインターバル挿入器２０８は、初期同期を捉えるとき、同期位置にエラーが発生して誤った開始位置を捉えた場合、人体通信チャネルの循環性が崩れて発生する性能の低下を未然に防ぐ役割もする。
【００７１】
一方、パルス成形およびＩＱ変調器２０９は、ガードインターバル挿入器２０８から出力される送信データに対して「人体が導波管特性を維持できる周波数の範囲」内に帯域範囲が制限された基底帯域信号を生成した後、その基底帯域信号をデジタル直交変調する。
【００７２】
次に、高速データ伝送のための人体通信システムにおける「受信器２２」について詳細に説明する。
【００７３】
図２に示すように、受信器２２で生成される利得は、図１の受信器１２の各ブロックで生成される利得と同じである。本発明に係る受信器２２は、同期検波および整合フィルタリングを実行した後２２１、ガードインターバルを除去２２２し、多重搬送波復調およびチャネル等化（ｃｈａｎｎｅｌ  ｅｑｕａｌｉｚａｔｉｏｎ）２２３する。それにより、受信器２２の逆拡散バンク２２４では、等化器２２３の出力信号をサンプル毎にｋ個の逆拡散器２２４、４２、４３、４４に同時入力してプロセス利得を得ながらデータを復元をする。以後、受信器２２は、並列／直列変換器２２５、デマッパー２２６、デインターリーバ２２７、およびチャネルデコーダ２２８などを経ながら元来のデータを復元する。
【００７４】
以上は、受信器２２に対する全般的な説明であって、以下においては、各構成要素について説明することにする。
【００７５】
同期検波器および整合フィルタ（ｃｏｈｅｒｅｎｔ  ｄｅｔｅｃｔｏｒ  ＆ｍａｔｃｈｅｄ  ｆｉｌｔｅｒ）２２１は、人体チャネル２１を介して受信した信号から同期検波方式を用いて元来の情報信号を検出し、その検出された情報信号から送信側でパルス成形された送信信号に整合する信号を抽出する。
【００７６】
ガードインターバル除去器２２２は、同期検波器および整合フィルタ２２１から出力される信号からガードインターバルを除去する機能を実行するものであり、これは送信器２０でガードインターバル挿入器２０８が備えられた場合に備えられるものである。
【００７７】
多重搬送波復調および等化器２２３は、ガードインターバル除去器２２２から出力される複数の信号に対して多重搬送波復調を実行した後、等化過程を介して人体チャネル上における信号の歪曲を除去する。
【００７８】
以後、逆拡散バンク２２４は、サンプル毎に多重搬送波復調および等化器２２３から出力されて入力される信号を複写して複数個生成し、その生成された入力信号の各々に対し、並列的に、互いに異なる直交コードシーケンスなどを乗じて元来のデータを復元する。これについては図４で詳細に説明する。
【００７９】
並列／直列変換器２２６は、逆拡散バンク２２４から並列に出力される元来のデータを直列に配列し、デマッパー２２６は、このように直列に配列された元来のデータをデータビットにデマッピングする。
【００８０】
以後、デインターリーバ２２５は、デマッパー２２６から出力されるデータビットに対してデインターリーブを実行し、チャネルデコーダ２２８は、チャネルデコードを実行するが、ＨＡＲＱ機能を選択的に支援する役割をする。ここで、デインターリーバ２２７およびチャネルデコーダ２２８の両者は、デマッパー２２６から出力されるデータビットに対して人体チャネル上のエラーを訂正するためのものであって、これらを合わせて「チャネルエラー訂正部」と呼ぶことができる。
【００８１】
また、本発明は、ＣＲＣ検査器（ｃｈｅｃｋｅｒ）２２９を備えることでフレームエラーを検査することもでき、これは送信器２０においてＣＲＣエンコーダ２０１を備えた場合に対応して受信器において備えられるものである。
【００８２】
最後に、ソースデコーダ２３０は、チャネルエラーなどが訂正されたデジタル形態の受信データを該当のソース情報にデコードする。
【００８３】
図３は、本発明に係る図２の拡散バンクの一実施形態の構成図であって、拡散バンク２０６が複数の拡散器３１ないし３３および合算部３４を備えてなることを示す。
【００８４】
拡散器３１ないし３３が並列で入力されるｋ個のシンボルの各々に対して互いに直交するコードシーケンスを乗じて帯域拡散させると、合算部３４は、それぞれの拡散器３１ないし３３から出力される拡散されたシンボルをチップ（ｃｈｉｐ）毎に合算する。
【００８５】
図４は、本発明に係る図２の逆拡散バンクの一実施形態の構成図であって、逆拡散バンク２２４が、複写部４１および複数の逆拡散器４２ないし４４を備えてなることを示す。
【００８６】
複写部４１が、サンプル毎に入力信号（多重搬送波復調および等化器２２３から出力される信号）をｋ個だけ複写して複数の逆拡散器４２ないし４４に同時に入力させると、ｋ個の逆拡散器４２ないし４４は、互いに直交するコードシーケンスを乗じて元来のデータを復元する。
【００８７】
図５は、畳み込みエンコーダおよびビタビデコーダの使用可否に係る性能比較図であって、人体通信チャネルでコーデックを用いた場合および用いなかった場合の性能をＳＮＲ軸で比較して示した結果である。シミュレーションにおいて、コーデックは畳み込みエンコーダ（ｃｏｎｖｏｌｕｔｉｏｎａｌ  ｅｎｃｏｄｅｒ）１０２、２０２と、ビタビデコーダ（ｖｉｔｅｒｂｉ  ｄｅｃｏｄｅ）１２５、２２８とを用い、モデムもＤＳＳＳ方式を用い、拡散コードはＢａｋｅｒコードを用いた。
【００８８】
以上、本発明と関連して、多数のユーザ間に及ぼす相互干渉が減るように周波数の範囲を制限し、外部から人体に入ってくる干渉信号から元来の送信信号を円滑に復元できるように、受信器で十分な利得を得ることができるようにする送受信方式を提示し、また利得をそのまま維持しながらも、周波数利用効率を高めることができる方法としての多重化方式についても記述した。
【００８９】
上述したような本発明の方法は、プログラムとして具現されてコンピュータで読み込むことができる形態で記録媒体（ＣＤ‐ＲＯＭ、ＲＡＭ、ＲＯＭ、フロッピー（登録商標）ディスク、ハードディスク、光磁器ディスクなど）に保存することができる。このような過程は、本発明の属する技術分野において通常の知識を有する者が容易に実施できることから、これ以上詳細に説明しないこととする。
【００９０】
以上で説明した本発明は、本発明が属する技術分野において通常の知識を有する者にとって、本発明の技術的思想を逸脱しない範囲内で、様々な置換、変形、および変更が可能なため、前述した実施形態および添付の図面により限定されるものではない。
【図１】
0004714787.tif 000002
【図２】
0004714787.tif 000003
【図３】
0004714787.tif 000004
【図４】
0004714787.tif 000005
【図５】
0004714787.tif 000006